(57)【要約】  【課題】  本考案は、性行為中に男性が口唇や舌を用いて女性器を刺激する際の性感染症を予防する器具に関して、シート部分が皺になることなく、簡易に男性の口唇から着脱できるようにすることを課題とする。  【解決手段】  可撓性のある薄いシート部材から形成されるシート体と、内側に使用者の口唇が通ることができる穴を有する、前記シート体を保持する非粘着性の枠体とから性感染症予防具を構成する。また、枠体はシート体に対して着脱自在に構成してもよい。【選択図】  図２
0003108569.tif 000002
【実用新案登録請求の範囲】
【請求項１】
可撓性のある薄いシート部材から形成されるシート体と、
内側に使用者の口唇が通ることができる穴を有する、前記シート体を保持する非粘着性の枠体と
からなる性感染症予防具。
【請求項２】
前記シート体は、前記枠体に対して着脱自在に構成される請求項１に記載の性感染症予防具。
【請求項３】
前記枠体は、香料により香り付けがされている請求項２に記載の性感染症予防具。
【請求項４】
前記シート体は、表面に複数の凹凸が設けられる請求項１から３のいずれか１項に記載の性感染症予防具。
【考案の詳細な説明】
【技術分野】
【０００１】
本考案は性行為中に男性が口唇や舌を用いて女性器を刺激する際において、性感染症を防止するための器具に関する。
【背景技術】
【０００２】
性行為中に男性が女性器を口唇や舌を用いて刺激する場合、互いに性感染症を患う可能性がある。これを防ぐために、下記特許文献１に、薄いシートに舌が入るように凹凸を設け、これを口唇の回りに当接する枠体に固定して、男性がこの枠体をマスクのように装着してから、シートを通して女性器を口唇や舌で刺激することで、互いの体液が交わらないようにし、性感染症を予防する考案が開示されている。
また、枠のない薄いシートをそのまま女性器に当てて性感染症を予防する商品も存在する。
【特許文献１】特開６−１７８７９１号公報
【考案の開示】
【考案が解決しようとする課題】
【０００３】
しかし、上記特許文献１に記載の発明は、枠の周りに設けられた粘着部材や耳掛けにより顔に固定して使用するために、性交時の会話や他の箇所の刺激をする場合に不自由が生じる。また、これを避けるためにいちいち着脱を繰り返すのは大変面倒である。
一方、上記のような薄いシートのみの商品は、このような問題が生じないが、着脱を繰り返すと皺になりやすく、皺になるとまた新たなものを使用しなければならないという問題がある。
本考案は、このような問題に鑑みて、性行為中に男性が口唇や舌を用いて女性器を刺激する際の性感染症を予防する器具に関して、シート部分が皺になることなく、簡易に男性の口唇から着脱できるようにすることを課題とする。
【課題を解決するための手段】
【０００４】
上記課題を解決するために、本考案は次のような構成を有する。
請求項１に記載の発明は、可撓性のある薄いシート部材から形成されるシート体と、内側に使用者の口唇が通ることができる穴を有する、前記シート体を保持する非粘着性の枠体とからなる性感染症予防具である。ここで、「薄い」とは、表面側を舌や口唇で押圧した際に、裏面側が押圧する舌や口唇の形状の一部に沿った形に撓む程度に薄いことをいうものとする。また、シート体は曲面を構成するものであってもよい。
請求項２に記載の発明は、前記性感染症予防具において、前記シート体は、前記枠体に対して着脱自在に構成されるものである。
請求項３に記載の発明は、請求項２に記載の性感染症予防具において、前記枠体は、香料により香り付けがされているものである。
請求項４に記載の発明は、前記性感染症予防具において、前記シート体は、表面に複数の凹凸が設けられるものである。
【考案の効果】
【０００５】
請求項１に記載の考案は、シート体は枠体に保持されているので着脱を繰り返しても皺になることがなく、また、枠体が非粘着性であるために、口唇の周りに固定されることがないので、必要に応じて簡便かつ快適に着脱して使用することができる。
請求項２に記載の考案は、使用後のシート体を交換することで再び使用することができるので、全体を使い捨てする場合に比較して経済的である。
請求項３に記載の考案は、枠体に香り付けがされているので、使用ごとに廃棄されるシート体に香り付けをする場合に比較して経済的である。
請求項４に記載の考案は、シート体に複数の凹凸を設けることにより、女性器に口唇や舌で刺激する場合とは異なる別の刺激を付与することが可能となる。
【考案を実施するための最良の形態】
【０００６】
以下、本考案の実施形態について、図を参照しながら説明する。
図１に本実施形態に係る性感染症予防具Ｘを分解した状態を表す斜視図を示し、図２に性感染症予防具Ｘの縦断面図を示す。性感染症予防具Ｘはシート体１０と枠体２０とから構成される。シート体１０はラテックスゴム製であり、薄さ０．０３ｍｍの袋状に湾曲した本体部分１１と本体部分１１の外縁に一体に形成される断面円形のリング部分１２とから構成される。シート体１０は成型前のゴムに赤、青、黄色などの着色料を混入することで着色されている。
枠体２０は、ポリエチレン製の成型品であり、互いに嵌合しあう輪状の蓋リング２１と受けリング２２とから構成される。これらの部材は成型前の合成樹脂に香料が混ぜらることで、香りが発生するようになっている。また、蓋リング２１と受けリング２２は使用者の口唇が自由に入ることができるように、使用者の口唇の周りに当接できる大きさの楕円形状に形成されている。ここでは両リングの楕円形状は長径８ｃｍ、短径５ｃｍの大きさに設定されている。また、蓋リング２１、受けリング２２はともに内面に断面半円状の溝が形成されており、蓋リング２１と受けリング２２とが上下に嵌合して合わさると互いの溝により、シート体のリング部分１２が嵌る大きさの断面円形の隙間ができる。蓋リング２１と受けリング２２は一端で蝶番部２３で回動可能に接合しており、また、蓋リング２１の蝶番部２３の位置の反対側に蓋係合片２１ａが設けられ、また、受けリング２２の蝶番部２３の位置の反対側に蓋係合片２１ａに係合する受け係合片２２ａが設けられている。蓋リング２１と受けリング２２の間でできる隙間にシート体１０のリング部分１２が嵌るようにして、蓋リング２１と受けリング２２を閉じ、蓋係合片２１ａと受け係合片２２ａとを係合させることで蓋リング２１と受けリング２２は固定されて、図２に示すようにシート体１０を保持した状態を維持する。
【０００７】
次に、このような構成を有する性感染症予防具Ｘの使用方法について説明する。当初はシート体１０と枠体２０とは分離しているので、使用者はシート体１０を枠体２０により図２に示すような状態に保持する。この状態で、性感染症予防具Ｘをシート体１０が女性器を覆うように当てて、男性は口唇や舌によりシート体１０を介して女性器に刺激を与える。この際、枠体が非粘着性のポリエチレンであるので、適宜口唇を性感染症予防具Ｘから離すことができ、また、シート体１０は枠体２０に保持されているので皺になることがない。使用後は、枠体２０を開けて、シート体１０をはずし、シート体１０を廃棄する。
なお、上記実施形態ではシート体１０と枠体２０とを分離可能に形成しているが、これは図３（ａ）に示すように一体としてもよい。この場合は、使用後は全体を廃棄処分することになる。また、図３（ｂ）に示すように、シート体１０の表面に複数の凸部１１ａを設けてもよい。なお、凸部１１ａはシート体１０を湾曲することにより形成されたものであり、裏面が凹部１１ｂを構成する。このような凹凸を設けることにより、口唇や舌での刺激とは異なる刺激を付与することが可能となる。
【図面の簡単な説明】
【０００８】
【図１】考案の実施形態に係る性感染症予防具を分解した状態を示す斜視図である。
【図２】考案の実施形態に係る性感染症予防具の縦断面図である。
【図３】（ａ）（ｂ）ともに性感染症予防具の他の例を示す斜視図である。
【符号の説明】
【０００９】
Ｘ      性感染症予防具
１０    シート体
２０    リング体
【図１】
0003108569.tif 000003
【図２】
0003108569.tif 000004
【図３】
0003108569.tif 000005